(57)【要約】【課題】補強手段に依存することなく簡単かつ強固に支持することができる浴室用ベンチの支持構造を提供する。【解決手段】浴室１において浴槽２のリム２１と洗い場３の床パン３１との間をエプロン２２により塞ぎ、このエプロン２２の一端側を浴槽２及び洗い場３に沿って延びる一方の第１浴室壁面１１に、第２浴室壁面１２から浴槽２側に延びる浴室用ベンチ５を沿って設ける。この浴室用ベンチ５に、一方の第１浴室壁面１１に沿って浴槽２側に延出され、かつその浴槽２側端がエプロン２２の内側に位置する支持材５１と、この支持材５１の上側に設けられ、浴槽側端が浴槽２のリム２１とほぼ面一状に接する着座材５２と、支持材５１の延出方向両端より垂下して当該延出方向両端をそれぞれ支持するベンチ脚５３，５４とを設ける。そして、支持材５１の浴槽側端の支持脚５３を、エプロン２２の内側に収容している。【選択図】図１
2011229805.tif 000002
【特許請求の範囲】
【請求項１】
浴室において互いに隣接する浴槽及び洗い場と、前記浴槽のリムと前記洗い場の床との間を塞ぐエプロンと、このエプロンの一端側を前記浴槽及び前記洗い場に沿って延びる浴室壁面と、この浴室壁面に沿って前記浴槽側に延びる浴室用ベンチとを備え、
前記浴室用ベンチが、
前記浴室壁面に沿って前記浴槽側に延出され、かつその延出方向の浴槽側端が前記エプロンの内側に位置する支持材と、
この支持材の上側に設けられ、浴槽側端が前記浴槽のリムとほぼ面一状に接する着座材と、
前記支持材の延出方向両端より垂下して当該延出方向両端をそれぞれ支持する支持脚と、
を有しており、
前記支持材の浴槽側端の支持脚が、前記エプロンの内側に収容されていることを特徴とする浴室用ベンチの支持構造。
【請求項２】
前記支持材の反浴槽側端の支持脚が、化粧カバーの内側に収容されている請求項１に記載の浴室用ベンチの支持構造。
【請求項３】
前記支持材の反浴槽側端が、前記洗い場を隔てて前記浴槽に向き合う浴室壁面まで延出されているとともに、
前記化粧カバーが前記浴槽に向き合う浴室壁面に接している請求項２に記載の浴室用ベンチの支持構造。
【請求項４】
前記化粧カバーが、前記浴槽に向き合う浴室壁面を上下方向へ延びる給湯管を遮蔽するために供されたものである請求項３に記載の浴室用ベンチの支持構造。
【請求項５】
前記各支持脚には、高さを調整する高さ調整機構がそれぞれ設けられている請求項１〜請求項４のいずれか１つに記載の浴室用ベンチの支持構造。
【発明の詳細な説明】
【技術分野】
【０００１】
本発明は、浴室の洗い場に設置される浴室用ベンチの支持構造に関する。
【背景技術】
【０００２】
一般に、浴室においては、互いに隣接する浴槽及び洗い場と、前記浴槽の上縁より外側に張り出すリムと前記洗い場の床との間を塞ぐエプロンと、このエプロンの一端側を浴槽及び洗い場に沿って延びる浴室壁面とを備えている。
また、前記浴室壁面に沿って浴槽側に延びる長尺な略矩形状の浴室用ベンチを備えたものもある。
【０００３】
そして、前記浴室用ベンチの支持構造としては、例えば特許文献１に示すように、基端を前記浴室壁面に所定間隔おきにそれぞれ取り付けて他端を反浴室壁面側（洗い場側）へ向かって略水平に延ばした複数の片持ち支持材によって浴室用ベンチを片持ち支持するようにしたものが知られている。また、このものでは、各片持ち支持材の先端を第２壁面と平行に延びる支持材によって支持している。
【先行技術文献】
【特許文献】
【０００４】
【特許文献１】特開２００９−３４１８４号公報
【発明の概要】
【発明が解決しようとする課題】
【０００５】
ところが、前記従来のものでは、浴室用ベンチを複数の片持ち支持材により片持ち支持しているため、複数、例えば３つ以上の片持ち支持材の一端をそれぞれ第２壁面に取り付ける際には、その取り付け作業に熟練を要し、各片持ち支持材の箇々の取付位置にバラツキつまり高低差が生じるおそれがあり、各片持ち支持材に高低差が生じていると、各片持ち支持材によって浴室用ベンチを均等に支えることができず、浴室用ベンチを強固に支持することができない。また、壁面自体の剛性では十分な支持強度が得られないため、支持材などの補強手段が別途必要となり、浴室用ベンチの支持構造が複雑なものとなる。
【０００６】
本発明は、かかる点に鑑みてなされたものであり、その目的とするところは、補強手段に依存することなく簡単かつ強固に支持することができる浴室用ベンチの支持構造を提供することにある。
【課題を解決するための手段】
【０００７】
前記目的を達成するため、本発明では、浴室用ベンチの支持構造として、浴室において互いに隣接する浴槽及び洗い場と、前記浴槽のリムと前記洗い場の床との間を塞ぐエプロンと、このエプロンの一端側を前記浴槽及び前記洗い場に沿って延びる浴室壁面と、この浴室壁面に沿って前記浴槽側に延びる浴室用ベンチとを備え、前記浴室用ベンチが、前記浴室壁面に沿って前記浴槽側に延出され、かつその延出方向の浴槽側端が前記エプロンの内側に位置する支持材と、この支持材の上側に設けられ、浴槽側端が前記浴槽のリムとほぼ面一状に接する着座材と、前記支持材の延出方向両端より垂下して当該延出方向両端をそれぞれ支持する支持脚と、を有している。そして、前記支持材の浴槽側端の支持脚が、前記エプロンの内側に収容されていることを特徴としている。
この特定事項により、支持材の延出方向両端より垂下する支持脚によって当該支持材の両端が床面に対し支持され、浴室壁面に対し支持したもののように箇々の取付位置にバラツキつまり高低差が生じることがなく、浴室用ベンチを強固に支持することが可能となる。しかも、浴室用ベンチを支持するに当たって補強手段に依存する必要がなく、浴室用ベンチの支持構造を簡単なものにすることが可能となる。
また、支持材の浴槽側端の支持脚が、エプロンの内側に位置する支持材の浴槽側端より垂下し、エプロンの内側に収容されている。これにより、支持脚によって洗い場が狭くなることがなく、洗い場を広くして有効利用することが可能となる。
【０００８】
また、前記支持材の反浴槽側端の支持脚が、化粧カバーの内側に収容されていることが好ましい。
この場合には、支持材の延出方向両端よりそれぞれ垂下する支持脚が化粧カバー及びエプロンにより円滑に遮蔽されて見栄えを向上させることができる。
【０００９】
また、前記支持材の反浴槽側端が、前記洗い場を隔てて前記浴槽に向き合う浴室壁面まで延出されているとともに、前記化粧カバーが前記浴槽に向き合う浴室壁面に接していることが好ましい。
この場合には、浴槽に向き合う浴室壁面まで延出された支持材の反浴槽側端より垂下する反浴室側の支持脚が、当該浴室壁面に接する化粧カバーの内側に収容されているので、化粧カバー自体が浴槽に向き合う浴室壁面とほぼ一体化し、反浴室側の支持脚の見栄えをより一層向上させることができる。
【００１０】
前記化粧カバーが、前記浴槽に向き合う浴室壁面を上下方向へ延びる給湯管を遮蔽するために供されたものであることが好ましい。
この場合には、反浴槽側の支持脚を内側に収容する化粧カバーとして、浴槽に向き合う浴室壁面を上下方向へ延びる給湯管を遮蔽するための化粧カバーが適用されるので、反浴槽側の支持脚を隠すための化粧カバーを別途設けなくとも兼用でき、部品点数の削減化を図ることができる。
【００１１】
更に、前記各支持脚には、高さを調整する高さ調整機構がそれぞれ設けられていることが好ましい。
この場合には、各支持脚の高さ調整機構によって、支持材の浴槽側端とこれをエプロンの内側に通す孔との位置合わせが円滑に行える。これにより、エプロンの孔に対する支持材の位置合わせ作業が簡単に行われ、浴室用ベンチの取付作業を効率よく図ることができる。
しかも、各支持脚に高低差が存在していてもその高低差が高さ調整機構によって簡単に解消され、支持材の水平度を確実に得ることができる。
【発明の効果】
【００１２】
以上、要するに、支持材の延出方向両端より垂下する支持脚によって当該支持材の両端を支持することで、各支持脚によって支持材を床面に対し強固に支持し、箇々の取付位置に高低差を生じさせることなく浴室用ベンチを強固に支持することができる。また、浴室用ベンチを支持するに当たって補強手段に依存する必要がなく、浴室用ベンチの支持構造を簡単なものにすることができる。しかも、支持材の浴槽側端より垂下する支持脚をエプロンの内側に収容することで、支持脚によって洗い場が狭くなることがなく、洗い場を広くして有効利用することができる。
【図面の簡単な説明】
【００１３】
【図１】本発明の実施の形態に係る支持構造を用いた浴室用ベンチ付近を浴槽側から見た浴室の斜視図である。
【図２】本発明の実施の形態に係る支持構造を用いた浴室用ベンチ付近を浴槽及び洗い場に沿って延びる浴室壁面側から見た浴室の斜視図である。
【図３】本発明の実施の形態に係る支持構造を用いた浴室用ベンチ付近を洗い場側から見た浴室の斜視図である。
【図４】図３のエプロン、ベンチ配管カバー及びベンチ横桟前カバーを取り外した状態で浴室用ベンチ付近を洗い場側から見た浴室の斜視図である。
【図５】本発明の実施の形態に係る支持構造を用いた浴室用ベンチの支持材及び着座材を下側から見た底面図である。
【図６】図５の浴室用ベンチを第２浴室壁面側から見た側面図である。
【発明を実施するための形態】
【００１４】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００１５】
図１及び図２において、１は本発明の実施の形態に係る浴室用ベンチの支持構造が適用される浴室であって、この浴室は、平面視で略矩形状を呈し、その周囲が４枚の浴室壁面１１，１２（図１では２枚のみ示す）により覆われている。また、浴室１には、浴槽２及び洗い場３が互いに隣接して設けられている。前記浴槽２は、その上縁より外側に張り出すリム２１によって平面視で略長方形状に形成されている。この場合、浴槽２は、洗い場３に対し長尺なリム２１側の面が隣接している。
【００１６】
前記浴室１は、前記浴槽２のリム２１と前記洗い場３の床としての床パン３１との間を塞ぐ樹脂製（例えばＡＢＳ樹脂など）のエプロン２２を備えている。前記床パン３１の浴槽２側端には、上方へ起立する起立部位３２が一体的に設けられている。そして、前記エプロン２２は、浴槽２の長尺なリム２１の両端側において短尺なリム２１に沿って延びる２枚の第１浴室壁面１１（図１及び図２では一方のみ示す）の間に亘って浴槽２の洗い場３側面を遮蔽するものであり、洗い場３側からの水の侵入を防いでいる。この場合、エプロン２２は、洗い場３側の長尺なリム２１の外方端に上端を係合させた状態で当該上端を支点にして洗い場３側から浴槽２側へ下端を揺動させることによって、床パン３１の起立部位３２に取り付けた係合具（図示せず）に下端が係合して保持されるようになっている。
【００１７】
そして、図３及び図４に示すように、前記各第１浴室壁面１１の反浴槽２側端（図３及び図４では左端）同士を連結する第２浴室壁面１２の一方の第１浴室壁面１１側となる一端側（図３及び図４では紙面奥側）には、樹脂製（例えばＡＢＳ樹脂など）の水栓ボックス４が取り付けられている。前記第２浴室壁面１２は、前記エプロン２２の一端側を浴槽２の短尺なリム２１及び洗い場３に沿って延びている。また、前記浴室１は、前記一方の第１浴室壁面１１に沿って浴槽２側に延びる浴室用ベンチ５を備えている。この場合、浴室用ベンチ５は、第２浴室壁面１２から浴槽２まで延設されている。
【００１８】
この浴室用ベンチ５は、前記一方の第１浴室壁面１１に沿って前記第２浴室壁面１２から浴槽２側に延出された支持材５１と、この支持材５１の上側に設けられた樹脂製（例えばＡＢＳ樹脂など）の着座材５２と、前記支持材５１の延出方向両端より垂下して当該延出方向両端をそれぞれ支持する支持脚としてのベンチ脚５３，５４とを備えている。前記支持材５１は、第２浴室壁面１２と浴槽２との間に亘って延びている。
【００１９】
前記支持材５１は、図５及び図６にも示すように、前記第２浴室壁面１２から浴槽２側（図５では右側）に延出された断面略ハット状の一対のベンチ横桟５１１，５１１と、この各ベンチ横桟５１１の両端を連結する断面略Ｌ字状の連結アングル５１２と、各ベンチ横桟５１１同士を所定間隔おきに連結する３つの連結金具５１３，５１３，…とを備えている。この各ベンチ横桟５１１は、一方の第１浴室壁面１１側に位置するベンチ横桟５１１と、洗い場３側に位置するベンチ横桟５１１とからなる。
【００２０】
また、前記着座材５２は、前記第２浴室壁面１２から浴槽２側に延出された一対のベンチ材５２１，５２２よりなる。この各ベンチ材５２１，５２２は、前記一方の第１浴室壁面１１側に位置するベンチ材５２１と、洗い場３側に位置するベンチ材５２２とからなる。そして、前記各ベンチ材５２１，５２２は、それぞれ連結アングル５１２，５１２の上端フランジ（図示せず）に対しベンチ材５２１，５２２同士の間に微小な隙間を存してビス止めされている。そして、前記各ベンチ材５２１，５２２の浴槽２側端は、前記洗い場３側の長尺なリム２１に対しほぼ面一状に接している。また、ベンチ材５２１，５２２の上面は、その両者５２１，５２２間の隙間に近付くに従い下方に位置するようなテーパ面に形成され、着座材５２上に溜まった水を前記隙間を介して積極的に排水できるようにしている。この場合、各ベンチ材５２１，５２２の浴槽２側端が洗い場３側の長尺なリム２１に対しほぼ面一状に接していることで、浴室用ベンチ５に着座した状態で浴槽２側へ移動すれば、浴槽２へ安易に入水することができるようになっている。
【００２１】
前記各ベンチ脚５３，５４は、前記洗い場３側のベンチ横桟５１１の両端と交差する前記各連結アングル５１２の洗い場３側端よりそれぞれ下方に突出するボルト材５０，５０に上端が螺着されて取り付けられている。また、前記各ベンチ脚５３，５４の下端には、浴室用ベンチ５の延出方向両端においてそれぞれ高さを調整する高さ調整機構５５がそれぞれ設けられている。この高さ調整機構５５は、正回転方向（例えば時計回りの方向）への回動により各ベンチ脚５３，５４の長さを上下方向に伸長させる一方、逆回転方向（例えば反時計回りの方向）への回動により各ベンチ脚５３，５４の長さを上下方向に収縮させるようにしている。
【００２２】
そして、前記各ベンチ横桟５１１の浴槽２側端は、前記エプロン２２の上縁にそれぞれ切り欠いた切欠孔２２１，２２１を介して当該エプロン２２の内側に位置している。この切欠孔２２１，２２１の周囲にはパッキン（図示せず）が設けられ、各ベンチ横桟５１１の浴槽２側端に対するシール性を確保している。また、前記洗い場３側のベンチ横桟５１１の浴槽２側端に連結アングル５１２を介して取り付けられたベンチ脚５３の下端、つまり浴室用ベンチ５の浴槽２側端より垂下するベンチ脚５３の下端（高さ調整機構５５）は、前記床パン３１の起立部位３２の上面に固定具３４を介して固定されている。この場合、浴室用ベンチ５の浴槽２側端より垂下するベンチ脚５３は、エプロン２２によって洗い場３側から遮蔽されている。
【００２３】
一方、前記一方の第１浴室壁面１１側のベンチ横桟５１１の第２浴室壁面１２側端に連結アングル５１２を介して取り付けられたベンチ脚５４の下端、つまり浴室用ベンチ５の第２浴室壁面１２側端より垂下するベンチ脚５４の下端（高さ調整機構５５）は、洗い場３の床パン３１に接地されている。そして、浴室用ベンチ５の第２浴室壁面１２側端のベンチ脚５４は、その第２浴室壁面１２に沿って取り付けられた化粧カバーとしてのベンチ配管カバー５６の内側に収容されて洗い場３側から遮蔽されている。このベンチ配管カバー５６は、浴室用ベンチ５の第２浴室壁面１２側端の下方に位置する床パン３１より導出されて第２浴室壁面１２に沿って上方へ延びる給水管５０１及び給湯管５０２を浴室用ベンチ５の下側において遮蔽するために供された樹脂製（例えばＡＢＳ樹脂など）のものである。そして、前記ベンチ配管カバー５６には、前記浴室用ベンチ５の第２浴室壁面１２側端より垂下するベンチ脚５４を内側に挿通させる挿通孔（図示せず）が設けられている。
【００２４】
また、前記一方の第１浴室壁面１１と第２浴室壁面１２との角部には、前記浴室用ベンチ５より上方へ延びる樹脂製（例えばＡＢＳ樹脂など）の配管カバー５７が取り付けられている。この配管カバー５７は、前記一方の第１浴室壁面１１側のベンチ材５２１の第２浴室壁面１２側端に切り欠かれた切欠部１２２を介して前記浴室用ベンチ５より上方へ延設され、その延設端が前記水栓ボックス４に接続されている。そして、前記ベンチ配管カバー５６の内側において纏められた給水管５０１及び給湯管５０２が、前記配管カバー５７の内側に収容されて前記水栓ボックス４まで導かれている。この水栓ボックス４には、先端にシャワーノズル（図示せず）が設けられたシャワーホース６２の基端が取り付けられている。また、前記第２浴室壁面１２には、前記シャワーノズルを係止するシャワーフック（図示せず）が取り付けられている。この場合、浴室用ベンチ５に着座した状態でシャワーノズルからのシャワー水を浴びることが可能となり、このシャワーノズルが第２浴室壁面１２のシャワーフックに係止されていることで、浴槽２との距離が確保されてシャワーノズルからのシャワー水が浴槽２に入り難くしている。
【００２５】
そして、前記一方のベンチ横桟５１１は、前記一方の第１浴室壁面１１に取り付けられた断面略Ｌ字状の支持金具５８によって支持されている。また、前記洗い場３側のベンチ横桟５１１には、浴室用ベンチ５の下部つまり洗い場３側のベンチ横桟５１１を洗い場３から遮蔽するための樹脂（例えばＡＢＳ樹脂など）よりなる断面略Ｌ字状のカバーステー５９が取り付けられている。更に、前記一方の第１浴室壁面１１には、第２浴室壁面１２側から浴槽２側に向かって略水平に延びる手摺り６６が設けられ、浴室用ベンチ５に着座した状態での浴槽２側への移動がスムーズに行えるようにしている。
【００２６】
したがって、本実施の形態では、浴室用ベンチ５の浴槽２側端より垂下するベンチ脚５３によって支持材５１（ベンチ横桟５１１，５１１）の浴槽２側端が床パン３１の起立部位３２の上面に支持されている一方、浴室用ベンチ５の第２洋室壁面１２側端より垂下するベンチ脚５４によって支持材５１の第２浴室壁面１２側端が洗い場３の床パン３１に対し支持され、一方の第１浴室壁面に対し片持ち支持したもののように箇々の取付位置にバラツキつまり高低差が生じることがなく、浴室用ベンチ５を強固に支持することができる。しかも、浴室用ベンチ５を支持するに当たって補強手段に依存する必要がなく、浴室用ベンチ５の支持構造を簡単なものにすることができる。
【００２７】
また、浴室用ベンチ５の浴槽２側のベンチ脚５３が、エプロン２２の内側に位置する浴室用ベンチ５の浴槽２側端より垂下し、エプロン２２の内側に収容されている。これにより、浴室用ベンチ５の浴槽２側のベンチ脚５３によって洗い場３が狭くなることがなく、洗い場３を広くして有効利用することができる。
【００２８】
また、浴室用ベンチ５の第２浴室壁面１２側端より垂下するベンチ脚５４が、第２浴室壁面１２まで延設された支持材５１の第２浴室壁面１２側端より垂下し、第２浴室壁面１２に沿って取り付けられたベンチ配管カバー５６の内側に収容されているので、第２浴室壁面１２側のベンチ脚５４がベンチ配管カバー５６により円滑に遮蔽され、エプロン２２の内側に収容された浴槽２側端のベンチ脚５３と相俟って見栄えを向上させることができる。
しかも、ベンチ配管カバー５６が、浴槽２に向き合う第２浴室壁面１２を上下方向へ延びる給水管５０１及び給湯管５０２を遮蔽するために供されたものであるので、ベンチ配管カバー５６自体が浴槽２に向き合う第２浴室壁面１２とほぼ一体化し、第２浴室壁面１２側のベンチ脚５４の見栄えをより一層向上させることができる。更に、第２浴室壁面１２側のベンチ脚５４を隠すための化粧カバーなどを別途設けなくとも兼用でき、部品点数の削減化を図ることができる。
【００２９】
更に、前記各ベンチ脚５３，５４には、各ベンチ脚５３，５４の長さを上下方向に伸縮させて高さを調整する高さ調整機構５５がそれぞれ設けられているので、各ベンチ脚５３，５４の高さ調整機構５５によって、支持材５１の各ベンチ横桟５１１の浴槽２側端とこれをエプロン２２の内側に通す切欠孔２２１，２２１との位置合わせが円滑に行える。これにより、エプロン２２の各切欠孔２２１に対する各ベンチ横桟５１１の浴槽２側端の位置合わせ作業が簡単に行われ、浴室用ベンチ５の取付作業を効率よく図ることができる。
しかも、各ベンチ脚５３，５４に高低差が存在していてもその高低差が高さ調整機構５５によって簡単に解消され、支持材５１の水平度を確実に得ることができる。
【００３０】
なお、本発明は、前記実施の形態に限定されるものではなく、その他種々の変形例を包含している。例えば、前記実施の形態では、支持材５１を第２浴室壁面１２まで延設したが、支持材が第２浴室壁面まで延設されていなくてもよく、その場合には、支持材の第２浴室壁面側端より垂下するベンチ脚が専用の化粧カバーの内側に収容されるようにしてもよい。
【００３１】
また、前記実施の形態では、浴室用ベンチ５の浴槽２側端より垂下するベンチ脚５３をエプロン２２の内側に収容したが、この浴槽側のベンチ脚がエプロンの内側に対し弾性材などを介して接するようにしてもよい。この場合には、エプロンがベンチ脚によって効率よく支えられ、エプロンの剛性を効果的に高めることが可能となる。
【００３２】
また、前記実施の形態では、着座材５２を一対のベンチ材５２１，５２２により構成したが、３枚以上のベンチ材、または単一のベンチ材により着座材が構成されていてもよい。その場合、単一のベンチ材よりなる着座材では、この着座材上に溜まった水を排水するための孔を設けておくことが好ましい。
【符号の説明】
【００３３】
１      浴室
１１    第１浴室壁面（エプロンの一端側を浴槽及び洗い場に沿って延びる浴室壁面）
１２    第２浴室壁面（浴槽に向き合う浴室壁面）
２      浴槽
２１    リム
２２    エプロン
３      洗い場
３１    床パン（床）
５      浴室用ベンチ
５０２  給湯管
５１    支持材
５２    着座材
５３，５４    ベンチ脚（支持脚）
５５    高さ調整機構
５６    ベンチ配管カバー（化粧カバー）
【図１】
2011229805.tif 000003
【図２】
2011229805.tif 000004
【図３】
2011229805.tif 000005
【図４】
2011229805.tif 000006
【図５】
2011229805.tif 000007
【図６】
2011229805.tif 000008